(57)【要約】【課題】製作コストの増加や重量の増加が少なく、様々な地面の形状に対して安定な起立状態を保持できる自転車用スタンドおよびそれを用いた自転車を提供すること。【解決手段】２本の脚部１１ａ、１１ｂとその間の接地部１２とからなるＵ字状の金属棒と、接地部１２の両端部に固定された板材１３ａ、１３ｂと、その板材に取り付けられた凹部とその周囲の周縁部とからなる皿部材１４ａ、１４ｂとを有し、自転車の後輪の車軸付近への取り付け構造１０を有する自転車用スタンドであって、皿部材１４ａ、１４ｂは、当該自転車用スタンドを地面に立てたときに周縁部２１ａ、２１ｂが地面と接触し、凹部と地面とが対向するように板材に取り付けられている。【選択図】  図１
0003174878.tif 000002
【実用新案登録請求の範囲】
【請求項１】
自転車の後輪の車軸付近へ取り付けられる自転車用スタンドであって、
２本の脚部とその間に設けられた接地部からなるＵ字状の棒材と、
前記接地部の両端部にそれぞれ取り付けられた皿状の皿部材とを有し、
当該自転車用スタンドを地面に立てたときに、前記皿部材の周縁部が地面と接触し、該皿部材の凹部が地面と対向することを特徴とする自転車用スタンド。
【請求項２】
当該自転車用スタンドを地面に立てたときに、前記皿部材の周縁部によって形成される平面の法線の方向が地面の形状または角度に応じて前記接地部に対して相対的に変化することを特徴とする請求項１に記載の自転車用スタンド。
【請求項３】
当該自転車用スタンドを地面に立てたときに、前記棒材の接地部の少なくとも一部が地面に接触することを特徴とする請求項１または請求項２に記載の自転車用スタンド。
【請求項４】
前記接地部の両端部に固定された２つの板材を有し、前記皿部材は前記板材に取り付けられていることを特徴とする請求項１乃至請求項３のいずれか１項に記載の自転車用スタンド。
【請求項５】
前記皿部材はその中央部に穴を有し、
該穴の径より大きい頭部を有するボルトを、前記皿部材の凹部側より該穴および前記板材に開けられた穴に順次挿入し、前記板材の両面から該ボルトに勘合するナットで締め付けることにより前記板材に固定したことを特徴とする請求項４に記載の自転車用スタンド。
【請求項６】
前記皿部材の凹部を前記ボルトの頭に接触させたときに、前記板材の下側のナットと前記皿部材との間に２〜８ｍｍの隙間が形成されることを特徴とする請求項５に記載の自転車用スタンド。
【請求項７】
前記隙間にばね材を挿入したことを特徴とする請求項６に記載の自転車用スタンド。
【請求項８】
前記皿部材の周縁部は外径が３０ｍｍ以上、１００ｍｍ以下の円形であることを特徴とする請求項１乃至請求項７のいずれか１項に記載の自転車用スタンド。
【請求項９】
前記皿部材は、その凹部に蛍光を発する蛍光発射部または光を反射する光反射部を有することを特徴とする請求項１乃至請求項８のいずれか１項に記載の自転車用スタンド。
【請求項１０】
請求項１乃至請求項９のいずれか１項に記載の自転車用スタンドを備えた自転車。
【考案の詳細な説明】
【技術分野】
【０００１】
本考案は、自転車の後部車輪にＵ字状に取り付けられた自転車用スタンドおよびそれを用いた自転車に関する。
【背景技術】
【０００２】
従来、自転車を地面等に立てて置く一般的な自転車用スタンドとして、自転車の後輪の車軸付近に取り付けられた２本の脚部とその間の接地部とからなるＵ字状の金属棒により構成された自転車用スタンドが使用されている。地面の形状に対して安定した起立状態が得られるＵ字状のスタンドの改良構造として、例えば、特許文献１〜３に記載されたスタンドがある。特許文献１には、Ｕ字状の接地部の部分を自転車を立てた時に水平となる角度で後方に折り曲げたスタンドが記載されている。特許文献２には、Ｕ字状の接地部の前方に第２の棒状の接地部を取り付けたスタンドが記載されている。また、特許文献３に記載のスタンドにおいては、地面の傾斜や凹凸に対応するため、スタンドの左右の脚の一方の長さを調整する機構を設けている。
【先行技術文献】
【特許文献】
【０００３】
【特許文献１】特開２００２−１９３１５８号公報
【特許文献２】特開２００６−２８２１３１号公報
【特許文献３】実開平７−１３６７６号公報
【考案の概要】
【考案が解決しようとする課題】
【０００４】
特許文献１および特許文献２のスタンドにおいては、地面に接するスタンドの接地部は一般的に金属丸棒により構成されているので、地面が平坦でない場合は地面との接触部分は少なくなってしまう。また、その接地部の形状は固定されているため、地面の傾斜や凹凸形状に対して、安定な起立状態を保持できる許容度は十分ではない。
【０００５】
また、特許文献３に記載のスタンドでは、左右の脚の一方の長さを調整する機構を設ける必要があるため、製作コストが高くなることやスタンド部の重量が大幅に増加するという問題がある。
【０００６】
そこで、本考案は、係る問題を解決するためになされたものであり、製作コストの増加や重量の増加が少なく、様々な地面の形状に対して安定な起立状態を保持できる自転車用スタンドおよびそれを用いた自転車を提供することを目的とする。
【課題を解決するための手段】
【０００７】
第１の観点では、本考案の自転車用スタンドは、自転車の後輪の車軸付近へ取り付けられる自転車用スタンドであって、２本の脚部とその間に設けられた接地部からなるＵ字状の棒材と、前記接地部の両端部にそれぞれ取り付けられた皿状の皿部材とを有し、当該自転車用スタンドを地面に立てたときに、前記皿部材の周縁部が地面と接触し、該皿部材の凹部が地面と対向することを特徴とする。本考案では、スタンドを立てたとき地面と接触するのは皿部材の周縁部であるので、地面と接触した時の安定性は接触面積が小さい棒材より高く、かつ、両端部の皿部材は独立して地面と接触するので、様々な地面の形状に対して従来よりも安定な起立状態を保持できる。
【０００８】
第２の観点では、本考案は、前記第１の観点の自転車用スタンドにおいて、当該自転車用スタンドを地面に立てたときに、前記皿部材の周縁部によって形成される平面の法線の方向が地面の形状または角度に応じて前記接地部に対して相対的に変化することを特徴とする。このように地面の形状または角度に応じて皿部材の相対角度が変化することにより、皿部材の周縁部の地面と接触する部分の割合を大きくでき、様々な地面の形状に対して安定な起立状態を保持できる。
【０００９】
第３の観点では、本考案は前記第１または第２の観点の自転車用スタンドにおいて、当該自転車用スタンドを地面に立てたときに、前記Ｕ字状の棒材の接地部の一部と前記皿部材の周縁部とが前記地面に接触することを特徴とする。このように皿部材の周縁部に加えて、従来のＵ字状の接地部が地面と接触する構成とすることにより、さらに安定な起立状態が得られる。
【００１０】
第４の観点では、本考案は前記第１、第２または第３の観点の自転車用スタンドにおいて、前記接地部の両端部に固定された２つの板材を有し、前記皿部材は前記板材に取り付けられていることを特徴とする。このように、板材を介して皿部材を接地部の両端部に取り付けることにより、皿部材の取り付けが容易となる。
【００１１】
第５の観点では、本考案は前記第４の観点の自転車用スタンドにおいて、前記皿部材の凹部の中央部に開けられた穴と、前記板材に開けられた穴とを有し、頭部の形状が前記皿部材の穴より大きなボルトを前記皿部材の凹部側より前記皿部材の穴および前記板材の穴に順次挿入し、前記板材の上下両側より前記ボルトに勘合するナットを締めることにより、前記ボルトを前記板材に固定したことを特徴とする。このような構成により、皿部材を簡単に板材に取り付けることができ、皿部材の交換が容易となる。また、皿部材を板材に直接固定するものではないので、皿部材が板材に対して位置や角度が変化し得る状態を得ることができる。
【００１２】
第６の観点では、本考案は前記第５の観点の自転車用スタンドにおいて、前記皿部材の凹部を前記ボルトの頭に接触させたときに、前記板材の下側のナットと前記皿部材との間に２〜８ｍｍの隙間が形成されていることを特徴とする。上記の隙間の大きさによって皿部材が板材に対して位置や角度が変化し得る範囲を調整することができる。前記のボルトの外径に対する皿部材の穴径によって上記の変化し得る範囲は異なるが、通常の使用において、当該自転車用スタンドを地面に立てたときの皿部材の角度変化を得るためには、少なくとも２ｍｍ以上の隙間があることが望ましく、逆に、スタンドを立てたときに皿部材の凹部よりボルトの頭が下に出ないことや皿部材の高さ方向の位置を制限する必要があることから隙間の大きさは８ｍｍ以下であることが望ましい。
【００１３】
第７の観点では、本考案は前記第５の観点の自転車用スタンドにおいて、前記隙間にばね材を挿入したことを特徴とする。ナットと皿部材との間にリング状の板ばねやコイルばねなどのばね材を挿入してナットと皿部材間を押し広げる方向の力をかけておくことにより、スタンドを立てていない状態で皿部材の位置を一定に保持することができるので、走行中の皿部材の移動による騒音や反射光の散乱を少なくすることができる。
【００１４】
第８の観点では、本考案は前記第１ないし第７のいずれかの観点の自転車用スタンドにおいて、前記皿部材の周縁部は外径が３０ｍｍ以上、１００ｍｍ以下の円形であることを特徴とする。皿部材の周縁部の大きさが小さすぎる場合には点接触に近くなって安定性への寄与が小さくなり、逆に大きすぎる場合は重量が重くなり、スタンドの操作や自転車の設置や運転のじゃまになるという問題がある。また、皿部材の周縁部が円形であるときは他の形状に比べて製造が容易となり、製造コストも安い。以上より、皿部材の周縁部は、その外径が３０ｍｍ以上、１００ｍｍ以下の円形が望ましい。
【００１５】
第９の観点では、本考案は前記第１ないし第８の観点のいずれかの観点の自転車用スタンドにおいて、前記皿部材は、その凹部に蛍光を発する蛍光発射部または光を反射する光反射部を有することを特徴とする。自転車の走行中に皿部材の凹部は後方を向くこと、およびこの凹部はスタンドを立てたとき地面と接触しないので損傷を受けにくいことから、本考案ではこの凹部を安全運転に寄与するように有効に利用できる。これにより、夜道での自転車の運転をより安全に行うことができる。
【００１６】
第１０の観点では、本考案は前記第１ないし第９の観点のいずれかの観点の自転車用スタンドを備えた自転車を提供する。
【考案の効果】
【００１７】
以上のように、本考案によれば、製作コストの増加や重量の増加が少なく、様々な地面の形状に対して安定な起立状態を保持できる自転車用スタンドおよび自転車が得られる。
【図面の簡単な説明】
【００１８】
【図１】実施例１に係る自転車用スタンドを示す図であり、図１（ａ）は当該自転車用スタンドを地面に立てたときの側面図、図１（ｂ）は主要部分の斜視図。
【図２】接地部１２の左端に固定された板材１３ａと皿部材１４ａの部分の拡大斜視図。
【図３】図２のＡＡ断面図であり、図３（ａ）は皿部材の周縁部を地面より浮かせた場合、図３（ｂ）は皿部材の周縁部を地面に押し付けた場合を示す。
【図４】実施例２の自転車用スタンドの板材と皿部材の構造を示す断面図。
【図５】実施例３の自転車用スタンドの板材と皿部材の構造を示す断面図。
【考案を実施するための形態】
【００１９】
以下、図面を参照して本考案の自転車用スタンドを実施例により詳細に説明する。なお、図面の説明において同一の要素には同一符号を付し、その重複した説明を省略する。
【実施例１】
【００２０】
図１は、実施例１に係る自転車用スタンドを示す図であり、図１（ａ）は当該自転車用スタンドを地面に立てたときの側面図、図１（ｂ）は主要部分の斜視図である。本実施例の自転車用スタンドは、２本の脚部１１ａ，１１ｂとその間の接地部１２とからなるＵ字状の棒材と、２本の脚部１１ａ，１１ｂの自転車後輪の車軸付近への取り付け構造１０を有する自転車用スタンドであって、接地部１２の両端部に地面にほぼ平行な方向に固定された板材１３ａ，１３ｂと、板材１３ａ，１３ｂにそれぞれ取り付けられた皿状の皿部材１４ａ，１４ｂを有している。皿部材１４ａ，１４ｂは、それぞれ凹部２０ａ，２０ｂとその周囲の円形の周縁部２１ａ，２１ｂを有し、当該自転車用スタンドを地面３０に立てたときに周縁部２１ａ，２１ｂが地面３０と接触し、凹部２０ａ，２０ｂと地面３０とが対向するように板材１３ａ，１３ｂにそれぞれ取り付けられている。
【００２１】
なお、本実施例においては、自転車用スタンドを地面に立てたときに、皿部材の周縁部２１ａ，２１ｂと共に接地部１２の一部も地面３０に接触するように構成されている。周縁部２１ａ，２１ｂのみ地面３０に接触し、接地部１２は接触しないように構成してもよいが、本実施例ではその場合より、さらに安定な起立状態が得られる。
【００２２】
図２は、接地部１２の左端に固定された板材１３ａと皿部材１４ａの部分の拡大斜視図である。固定強度を増すために、板材１３ａにはその前側および左右両側に板材１３ａに対して垂直な側板１６が折り曲げ加工または溶接により一体化されて設置され、板材１３ａと側板１６は一体として脚部１１ａおよび接地部１２に溶接固定されている。具体的には、前側の側板の左端と左側の側板の前端は脚部１１ａの下端部に溶接され、前側の側板の下端と右側の側板の前側下端は接地部１２に溶接固定されている。皿部材１４ａは板材１３ａにボルトおよびナットにより取り付けられている。本明細書において、自転車が走行する方向を「前」、走行時タイヤが接している地面の方向を「下」といい、「後」および「上」は、「前」および「下」のそれぞれ反対方向をいう。「右」及び「左」は走行中の自転車の後方から前方を見たときとする。
【００２３】
図３は図２のＡＡ断面図であり、図３（ａ）は皿部材１４ａの周縁部を地面３０より浮かせた場合、図３（ｂ）は皿部材１４ａの周縁部を地面３０に押し付けた場合を示す。図３（ａ）に示すように、皿部材１４ａは凹部２０ａの中央部に開けられた穴２２を有している。また、板材１３ａに開けられた穴２３を有し、頭部の形状が穴２２より大きなボルト２４を皿部材１４ａの凹部側より穴２２および穴２３に順次挿入し、板材１３ａの上下両側よりボルト２４に勘合するナット２５，２６をワッシャーなどを介して締め付けることにより、ボルト２４を板材１３ａに固定している。
【００２４】
また、本実施例においては、図３（ａ）に示すように、皿部材１４ａの凹部２０ａの上端をボルト２４の頭に接触させたときに、板材１３ａの下側のナット２６と皿部材１４ａとの間に隙間Ｇが形成される。本実施例においては隙間Ｇの大きさは、３ｍｍ〜６ｍｍ程度である。また、ボルト２４のねじ部の外径は９〜１３ｍｍ程度、穴２２の口径は１０〜１４ｍｍ程度、皿部材１４ａの周縁部２１ａの外径Ｄは４０〜６０ｍｍ程度、凹部２０ａの高さは８〜２０ｍｍ程度である。板材１３ａの材料としては、厚さ２〜４ｍｍ程度のステンレス板や鉄板などが使用できる。皿部材１４ａの材料としては厚さ２〜５ｍｍ程度のステンレス板や鉄板などが使用できる。
【００２５】
図３（ｂ）に示すように、本実施例の自転車用スタンドを使用した自転車を地面３０に立てたとき、皿部材１４ａは板材１３ａの下側のナット２６に押し付けられる。この場合、穴２２の口径がボルト２４のねじ径よりも大きいので、皿部材１４ａは板材１３ａに対する位置や角度の自由度があり、地面３０の傾きに応じて周縁部２１ａが地面に接触するような方向に板材１３ａに対する相対角度を変化させることができる。なお、上記の説明では、接地部１２の左端の皿部材１４ａに関する構造について説明したが、右端の皿部材１４ｂについても同様である。
【実施例２】
【００２６】
図４は、実施例２の自転車用スタンドの板材と皿部材の構造を示す断面図である。図３（ａ）に対応する部分である。本実施例では、基本的な構造および形状などは実施例１と同様である。但し、本実施例においては、皿部材１４ａの凹部をボルト２４の頭に接触させたときに生ずるナット２６と皿部材１４ａとの間の隙間にリング状の板ばね２８を挿入したことが実施例１とは異なっている。右端の皿部材１４ｂについても同様の構造である。ナット２６と皿部材１４ａ間に押し広げる方向の力をかけておくことにより、スタンドを立てていない状態での皿部材の位置を一定に保持することができる。板ばね２８としては、例えばばねワッシャーが使用できる。
【実施例３】
【００２７】
図５は、実施例３の自転車用スタンドの板材と皿部材の構造を示す断面図である。図３（ａ）に対応する部分である。本実施例では、基本的な構造および形状などは実施例１と同様である。但し、本実施例においては、皿部材の凹部の表面の一部およびボルト２４の頭部に自動車などのライトの光で反応する蛍光塗料２９が塗布されていることが実施例１とは異なっている。右端の皿部材１４ｂについても同様の構造である。走行中には自転車用スタンドは上げられ、皿部材１４ａ，１４ｂの凹部は後方を向くことから、本実施例ではこの凹部を夜道での安全運転に寄与するように有効に利用できる。凹部はスタンドを立てたとき地面と接触しないので蛍光塗料２９は損傷を受けにくい。なお、蛍光塗料２９の代わりに自動車などのライトの光を反射する反射塗料や蛍光材料を焼付けた蛍光反射テープなどを備えてもよい。
【００２８】
以上のように、本考案の自転車用スタンドは、Ｕ字状スタンドの接地部の両側に皿部材を設けることによって、従来に比べ安定した起立状態を保持できる。また、本考案の自転車用スタンドは、従来のＵ字状スタンドに板材と皿部材を取り付けることによって容易に作製でき、さらに、板材と皿部材の部分の重量も小さいので、スタンドの上げ下ろしの操作も従来と同様に行うことができる。
【００２９】
なお、本考案は上記の実施例に限定されるものではないことは言うまでもなく、目的や用途に応じて設計変更可能である。例えば、皿部材の周縁部の形状は円形以外にも多角形の形状であってもよい。また、板材を用いないで、棒材や管材などを用いて、または直接、皿部材を接地部の両端に取り付けてもよい。板材の形状および構造、その接地部や脚部への取り付け構造などは、その固定強度や自転車の重量に対する強度が得られれば他の構造でもよく、側板の使用の有無、その形状なども設計変更可能である。板材や皿部材に使用する材料はステンレスや鉄以外に汎用の金属材料より選択可能である。
【符号の説明】
【００３０】
１０                  取り付け構造
１１ａ、１１ｂ        脚部
１２                  接地部
１３ａ、１３ｂ        板材
１４ａ、１４ｂ        皿部材
１６                  側板
２０ａ、２０ｂ        凹部
２１ａ、２１ｂ        周縁部
２２、２３            穴
２４                  ボルト
２５、２６            ナット
２８                  リング状の板ばね
２９                  蛍光塗料
３０                  地面
【図１】
0003174878.tif 000003
【図２】
0003174878.tif 000004
【図３】
0003174878.tif 000005
【図４】
0003174878.tif 000006
【図５】
0003174878.tif 000007